(57)【要約】【課題】プリント基板上の固定側コネクタに対して盤面部品等から延びるフレキシブルケーブル先端の可動側コネクタを接続する際に、ケーブル配線経路にフレキシブルケーブルを接着テープにより直接固定する方法を採用しないことによって、組付け時における配線のやり直しや、不具合のある盤面部品の修復後における再配線の作業性を大幅に高めることができる。【解決手段】プリント基板５０に設けた固定側コネクタ５１に対して着脱される可動側コネクタ６１を備えたフレキシブルケーブル６０と、可動側コネクタ手前のフレキシブルケーブル部位に対して接着固定されるケーブル保持部材９０と、固定側コネクタと配線経路Ａとの間に設けられてケーブル保持部材を着脱自在に係止するケーブル係止部８１と、を備え、ケーブル係止部にケーブル保持部材を係止した時に、両コネクタが最適な接続位置関係となるように構成されている。【選択図】図３
2011243645.tif 000002
【特許請求の範囲】
【請求項１】
プリント基板に設けた固定側コネクタに対して着脱される可動側コネクタを備えたフレキシブルケーブルと、
前記可動側コネクタ手前のフレキシブルケーブル部位に対して接着固定されるケーブル保持部材と、
前記プリント基板外から前記固定側コネクタに向けて前記フレキシブルケーブルを配線する配線経路と、
前記固定側コネクタと前記配線経路との間に設けられて前記ケーブル保持部材を着脱自在に係止するケーブル係止部と、
を備え、
前記ケーブル係止部に前記ケーブル保持部材を係止した時に、前記可動側コネクタと前記固定側コネクタとが最適な接続位置関係となるように構成されていることを特徴とするフレキシブルケーブルの支持構造。
【請求項２】
前記フレキシブルケーブルは、前記ケーブル保持部材に対して接着テープによって着脱自在に接着固定されることを特徴とする請求項１に記載のフレキシブルケーブルの支持構造。
【請求項３】
前記ケーブル保持部材は、前記ケーブル係止部に螺子止め固定されることを特徴とする請求項１又は２に記載のフレキシブルケーブルの支持構造。
【請求項４】
前記ケーブル保持部材には、前記フレキシブルケーブルの特定部位を接着固定するための目印が形成されていることを特徴とする請求項１、２又は３に記載のフレキシブルケーブルの支持構造。
【請求項５】
前記フレキシブルケーブルは、前記可動側コネクタとは反対側の端部を可動盤面部品に固定されていることを特徴とする請求項１に記載のフレキシブルケーブルの支持構造。
【発明の詳細な説明】
【技術分野】
【０００１】
本発明は、プリント基板と可動盤面部品との間を接続するフレキシブルケーブルの支持構造の改良に関する。
【背景技術】
【０００２】
パチンコ遊技機等の遊技機には、盤面部品等の各種制御対象を制御するための制御回路等を有したプリント基板が搭載されている。
また、パチンコ遊技機には遊戯盤面上を所定の軌道に沿って進退移動する可動盤面部品が搭載されることが多く、この可動盤面部品とプリント基板との間の接続手段としてはフレキシブルケーブルが一般に利用されている。プリント基板とフレキシブルケーブルとの電気的接続は、プリント基板に設けたコネクタ（固定側コネクタ）に対してフレキシブルケーブル先端に固定したコネクタ（可動側コネクタ）を接続することにより実現される。
なお、フレキシブルケーブルは、プリント基板と可動盤面部品以外の盤面部品との接続や、プリント基板同士を接続する手段としても使用される。
【０００３】
ところで、プリント基板と可動盤面部品等との間の距離が長い場合には、フレキシブルケーブルを配線する距離も長くなるため、フレキシブルケーブルの緩みによって発生する不具合を防止するための余長処理が重要となる。各種ケーブルの余長処理のための提案は種々なされているが（特許文献１、２、３）、余長処理を優先する場合には、フレキシブルケーブルをハンドリングする余裕がなくなり、可動側コネクタが固定側コネクタに届かなくなってコネクタ間の半刺し等の接続不良が発生し易くなるという問題がある。即ち、固定側コネクタに対して可動側コネクタを手作業で接続する際に十分な余長を確保しておかない場合には可動側コネクタの引き延ばし距離が短くなって可動範囲が狭くなるため、コネクタ同士の接続作業が不自由となり、半刺しによる接続不良が発生し易い。一方、接続作業時に十分なケーブル余長を確保しつつコネクタ間の接続を完了した後では、ケーブルの撓みを解消するための処理を行う必要が生じるが、撓み処理中に可動側コネクタを引っ張って接続が外れることが多々あり、コネクタ間の接続を維持しながらケーブルの余長を処理することは極めて煩雑である。
このような不具合に対処するために従来は図１０に示した如きフレキシブルケーブルの支持構造を採用していた。
【０００４】
即ち、図１０はパチンコ遊技機に設置されるプリント基板とフレキシブルケーブルとの接続部周辺の構成を示す図であり、遊技機本体に固定された盤面部品１００に固定されたプリント基板１０１に設けられた固定側コネクタ１０２に対して、図示しない可動盤面部品から延びるフレキシブルケーブル１１０先端の可動側コネクタ１１１を接続した状態とその周辺を示す図である。
可動盤面部品が所定の軌道に沿って進退移動するのに追従し得るように、フレキシブルケーブル１１０の長さは可動盤面部品と固定側コネクタ１０２との最大離間距離に合わせて設定してある。このため、可動盤面部品がプリント基板に接近した際に形成されるフレキシブルケーブルの撓みを解消するために、盤面部品１００に設けたガイド長穴１０３によって矢印方向へ進退自在に支持されたプーリ１０５によってフレキシブルケーブルを折り返すと共に、プーリ１０５を図示しないバネによって矢印（イ）方向へ弾性付勢している。
更に、バネによってフレキシブルケーブル１１０に加わる引っ張り力によって可動側コネクタ１１１が固定側コネクタ１０２から脱落したり、コネクタ接続部が損傷する不具合を防止するために、可動側コネクタ手前のフレキシブルケーブル部位を固定部１００（配線経路）に接着テープ（耐熱剥離防止テープ）１１５によって固定している。
【０００５】
しかし、コネクタ同士の接続作業、及びその後のケーブル固定作業は手作業で行われるため、パチンコ遊技機の製造ラインにおいて接着テープ１１５によりフレキシブルケーブル１１０を直接固定する作業は極めて作業性が悪く、生産性を低下させる原因となっている。
また、組付けミス等によって一旦フレキシブルケーブルの接着に使用した接着テープ１１５を剥離して接着し直す作業が必要となった場合には、既使用接着テープの粘着力が著しく低下するため、接着不良が発生する原因となる。既使用テープを廃棄して新たな接着テープを用いて接着し直す作業は、手数を更に増大させる原因となる。
また、可動盤面部品に不具合があることが判明した場合には、接着テープを剥がして可動側コネクタ１１１を固定側コネクタ１０２から抜き取った上で、可動盤面部品を取付け部位から取り外し、修理することとなる。修理が完了して可動盤面部品を取付け部位に再装着する場合には、フレキシブルケーブル１１０の可動側コネクタ１１１を固定側コネクタ１０２と接続すると共に、フレキシブルケーブルの適所を接着テープ１１５によってケーブル配線経路に接着固定する作業が必要となる。
しかし、このような接着テープの剥離作業、再接着作業は繁雑であり、生産性の低下を招く原因となっている。
【先行技術文献】
【特許文献】
【０００６】
【特許文献１】特開平０７−１６２１６４号公報
【特許文献２】特開平０９−２７５２８６号公報
【特許文献３】特開２００３−３４７７６５公報
【発明の概要】
【発明が解決しようとする課題】
【０００７】
従来、パチンコ遊技機において、固定されたプリント基板上の固定側コネクタに対して、盤面部品、他のプリント基板等から延びるフレキシブルケーブル先端の可動側コネクタを接続する際には、フレキシブルケーブルの余長処理、及びコネクタ接続部にストレスがかかることを防止するために、フレキシブルケーブルの一部をケーブル配線経路に接着テープによって固定することが行われている。
しかし、接着テープによるフレキシブルケーブル固定作業は繁雑であり、特にフレキシブルケーブル接着作業をやり直す際には作業性が悪化するため、生産性を更に低下させる原因となっている。
また、接着テープを複数回剥離したり接着し直すと、接着力が低下してフレキシブルケーブルを固定する力が低下し、フレキシブルケーブルに加わるストレスがコネクタ接続部にかかってしまう虞もある。
【０００８】
本発明は上記に鑑みてなされたものであり、プリント基板上の固定側コネクタに対して盤面部品等から延びるフレキシブルケーブル先端の可動側コネクタを接続する際に、ケーブル配線経路にフレキシブルケーブルを接着テープにより直接固定する方法を採用しないことによって、組付け時における配線のやり直しや、不具合のある盤面部品の修復後における再配線の作業性を大幅に高めることができるフレキシブルケーブルの支持構造を提供することを目的としている。
また、接着テープの接着力の低下によってフレキシブルケーブルを固定する力が低下し、フレキシブルケーブルに加わるストレスがコネクタ接続部にかかってしまう不具合を防止することを目的としている。
【課題を解決するための手段】
【０００９】
上記目的を達成するため、請求項１の発明に係るフレキシブルケーブルの支持構造は、プリント基板に設けた固定側コネクタに対して着脱される可動側コネクタを備えたフレキシブルケーブルと、前記可動側コネクタ手前のフレキシブルケーブル部位に対して接着固定されるケーブル保持部材と、前記プリント基板外から前記固定側コネクタに向けて前記フレキシブルケーブルを配線する配線経路と、前記固定側コネクタと前記配線経路との間に設けられて前記ケーブル保持部材を着脱自在に係止するケーブル係止部と、を備え、前記ケーブル係止部に前記ケーブル保持部材を係止した時に、前記可動側コネクタと前記固定側コネクタとが最適な接続位置関係となるように構成されていることを特徴とする。
盤面部品等と接続されたフレキシブルケーブルを接着テープによって直接配線経路近傍に接着固定するのではなく、ケーブル保持部材にフレキシブルケーブルを固定し、このケーブル保持部材を配線経路近傍に着脱するようにした。このため、盤面部品等を修理等のためにフレキシブルケーブルと共に装着部から一旦取り外し、修理後に再装着する場合に、接着テープを剥離したり、同じ接着テープを用いて再度貼り付ける工程がなくなるので、盤面部品等の組み付け工程でのミス（作業のやり直しによる生産性の低下）を防止し、組み換えた後もケーブル保持部における同じ品質を保つことが可能となる。要するに接着テープによってフレキシブルケーブルを着脱する作業が極めて煩雑であったが、そのような作業が不要となったので、生産性の低下を防止できる。
【００１０】
請求項２の発明では、前記フレキシブルケーブルは、前記ケーブル保持部材に対して接着テープによって着脱自在に接着固定されることを特徴とする。
ケーブル保持部とフレキシブルケーブルとの接着は、接着テープによって行うのが簡易、確実である。この接着テープは、一旦ケーブル保持部材に接着した場合には、剥離する必要がなく、フレキシブルケーブルと接続された盤面部品等を修理のために取り外す場合であっても、フレキシブルケーブルと共に取り外される。
請求項３の発明は、前記ケーブル保持部材は、前記ケーブル係止部に螺子止め固定されることを特徴とする。
ケーブル保持部材とケーブル係止部に固定する方法は種々考えられるが、螺子止めが簡易且つ確実な方法である。
【００１１】
請求項４の発明は、前記ケーブル保持部材には、前記フレキシブルケーブルの特定部位を接着固定するための目印が形成されていることを特徴とする。
ケーブル保持部材にフレキシブルケーブルを固定しているため、ケーブル保持部材を配線経路近傍の特定位置に固定した場合には、可動側コネクタと固定側コネクタとの距離、位置関係が確定してしまう。このため、ケーブル保持部材に対するフレキシブルケーブルの取付け位置関係を精密に設定する必要がある。本発明では、ケーブル保持部材にフレキシブルケーブルを一義的に位置決めするための目印を設けたので、全ての遊技機についてフレキシブルケーブル先端の引き出し長を一義的に定めることができる。
請求項５の発明は、前記フレキシブルケーブルは、前記可動側コネクタとは反対側の端部を可動盤面部品に固定されていることを特徴とする。
フレキシブルケーブルを接続する盤面部品が可動盤面部品である場合には、可動盤面部品の移動に伴ってフレキシブルケーブルも伸縮、移動する。このため、フレキシブルケーブルにストレスがかかるが、本発明ではケーブル保持部材をケーブル係止部に確実に係止しているため、フレキシブルケーブルを介してコネクタ接続部にストレスがかかることが防止される。
【発明の効果】
【００１２】
フレキシブルケーブルと接続された盤面部品を修理等のために装着部から取り外す際には、フレキシブルケーブルも一緒に取り外すこととなる。フレキシブルケーブルを配線経路の近傍に固定する手段として接着テープを使用する場合には、盤面部品を取り外したり、再装着する度に、テープを剥離したり、接着する作業が必要となり、このテープの着脱による作業は実際には極めて煩わしい作業であった。
本発明では、フレキシブルケーブルを支持する専用部材としてのケーブル保持部材を用い、このケーブル保持部材にフレキシブルケーブルのコネクタ部近傍を固定した。更に、このケーブル保持部材を配線経路近傍に着脱自在に固定した。このため、フレキシブルケーブルの着脱作業が容易となる。特に、フレキシブルケーブルがまだ使える状態にある場合に便利である。
【図面の簡単な説明】
【００１３】
【図１】本発明の一実施形態に係るフレキシブルケーブルの支持構造を備えたパチンコ遊技機の全体正面図である。
【図２】可動盤面部品を搭載した遊戯盤の正面図である。
【図３】（ａ）及び（ｂ）は本発明の一実施形態に係るフレキシブルケーブルの支持構造を備えた可動盤面ユニットを備えた盤面搭載ユニットの正面図、及びその一部断面要部拡大図であり、（ｃ）は大ヨーヨーに搭載したモータ等の制御回路構成を示す図である。
【図４】可動盤面ユニットの要部背面図である。
【図５】可動盤面ユニットを構成するフレキシブルケーブルの配線状態及びコネクタ接続部を示す斜視図である。
【図６】大ヨーヨーを除いた可動盤面ユニットの分解斜視図である。
【図７】（ａ）及び（ｂ）はケーブル保持部材の構成を示す斜視図、及びケーブル保持部材にフレキシブルケーブルを固定した状態を示す斜視図である。
【図８】ケーブル保持部材を固定部に固定した状態を示す斜視図である。
【図９】フレキシブルケーブルとケーブル保持部材と固定部との位置関係を示す分解斜視図である。
【図１０】従来のパチンコ遊技機に設置されるプリント基板とフレキシブルケーブルとの接続部周辺の構成を示す図である。
【発明を実施するための形態】
【００１４】
以下、本発明を図面に示した実施の形態により詳細に説明する。
図１は本発明の一実施形態に係るフレキシブルケーブルの支持構造を備えたパチンコ遊技機の全体正面図であり、図２は可動盤面部品を搭載した遊戯盤の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の開閉片７が横方向へ開閉自在に配置されている。
【００１５】
センター部材５の上部には盤面搭載ユニット３０が設けられている。盤面搭載ユニット３０は、複数の小ヨーヨー３５と、遊技の進行に関与する大ヨーヨー（可動盤面部品）４１を備えた可動盤面ユニット４０と、から構成されている。
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
【００１６】
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１７】
図３（ａ）及び（ｂ）は本発明の一実施形態に係るフレキシブルケーブルの支持構造を備えた可動盤面ユニットを備えた盤面搭載ユニットの正面図、及びその一部断面要部拡大図であり、図３（ｃ）は大ヨーヨーに搭載したモータ等の制御回路構成を示す図であり、図４は可動盤面ユニットの要部背面図であり、図５は可動盤面ユニットを構成するフレキシブルケーブルの配線状態及びコネクタ接続部を示す斜視図であり、図６は大ヨーヨーを除いた可動盤面ユニットの分解斜視図であり、図７（ａ）及び（ｂ）はケーブル保持部材の構成を示す斜視図、及びケーブル保持部材にフレキシブルケーブルを固定した状態を示す斜視図であり、図８はケーブル保持部材を固定部に固定した状態を示す斜視図であり、図９はフレキシブルケーブルとケーブル保持部材と固定部との位置関係を示す分解斜視図である。
【００１８】
盤面搭載ユニット３０はセンター部材５の上部に固定されており、図３（ａ）（ｂ）に示すようにセンター部材５に固定される固定ベース３１と、固定ベース３１によって個別に上下動自在に支持された複数の小ヨーヨー３５と、固定ベース３１によって夫々上下動自在に支持された大ヨーヨー（可動盤面部品）４１を含んだ可動盤面ユニット４０と、固定ベース３１に固定されて制御回路を搭載したプリント基板５０と、大ヨーヨー４１とプリント基板５０との間を接続するフレキシブルケーブル６０と、フレキシブルケーブルをガイドするケーブルガイド機構７０等、を備えている。
可動盤面ユニット４０は、大ヨーヨー４１と、図示しない大ヨーヨーの昇降機構と、プリント基板５０と、フレキシブルケーブル６０と、ケーブルガイド機構７０等、を備えている。
大ヨーヨー４１は、モータ、ギヤ等を含む図示しない昇降機構によって図３（ａ）中に実線で示した上昇位置と破線で示した下降位置との間を昇降する。また、大ヨーヨー４１は、大ヨーヨーを象った外ケースの内部に、大ヨーヨーの中心部に設けた回転軸を中心として回転する図示しない回転盤と、回転盤に搭載された図示しないＬＥＤ（プリント基板）を備え、更に外ケースの裏面側には回転盤を回転させる図示しないモータ及びギヤが装備されている。
図３（ｃ）の回路図に示すように大ヨーヨーに搭載されたＬＥＤ４２とモータ４３は、電源４４と接続された制御手段（制御回路）４５からの制御信号によってオンオフ制御される。
【００１９】
フレキシブルケーブル６０は、大ヨーヨー４１に一端を固定されると共に、その他端（先端）には可動側コネクタ６１を備えている。フレキシブルケーブル内部の複数の内部導体は夫々ＬＥＤ４２、及びモータ４３と接続されている。各可動側コネクタ６１をプリント基板上の各固定側コネクタ５１と接続することにより、ＬＥＤ４２とモータ４３は、夫々プリント基板上の制御手段４５と接続される。
ケーブルガイド機構７０は、固定ベース３１の上部適所（上昇位置にある大ヨーヨーの直上）に回転自在に軸支されたガイドローラ７５と、固定ベース３１の前面に突設されたガイド突条７１によって囲まれた領域に形成された配線経路Ａと、配線経路Ａの底面に突設されたガイド突起７６と、配線経路Ａの底面の下部適所に貫通形成されたガイド長穴７７と、ガイド長穴７７に沿って矢印方向へ移動自在に係合したスライド部材７８と、スライド部材７８によって回転自在に軸支されフレキシブルケーブルを巻掛けることによりフレキシブルケーブルの配線方向を反転させるガイドプーリ７９と、スライド部材７８と固定ベース３１の下部に設けた係止部３１ａとによって両端を夫々固定されてスライド部材７８を常時下方向へ付勢する弾性部材８０と、を備えている。
なお、弾性部材８０による付勢方向（下方向、イ）は、フレキシブルケーブル６０に常時テンションを付与する方向である。
【００２０】
本発明に係るフレキシブルケーブルの支持構造の特徴的な構成は、固定配置されたプリント基板５０に設けた固定側コネクタ５１に対して着脱される可動側コネクタ６１を端部に備えたフレキシブルケーブル６０と、可動側コネクタ手前のフレキシブルケーブル部位に対して接着固定されるケーブル保持部材９０と、プリント基板外から固定側コネクタに向けて配線する配線経路Ａと、固定側コネクタ５１と配線経路Ａとの間に設けられてケーブル保持部材９０を着脱自在に係止するケーブル係止部８１と、を備え、ケーブル係止部にケーブル保持部材９０を係止した時に、可動側コネクタ６１と固定側コネクタ５１とが最適な接続位置関係となるように構成されている点にある。
なお、ここで最適な接続位置関係とは、ケーブル係止部８１に固定されたケーブル保持部材９０から延びるフレキシブルケーブル先端の可動側コネクタ６１を、手作業によって十分な余裕をもって固定側コネクタに接続、離脱することができ、しかもコネクタ同士を接続した状態において、ケーブル保持部材による接着固定部よりも先端側のフレキシブルケーブル部分が過剰に撓んで、過大な余長を形成することがない位置関係を意味する。
【００２１】
図３（ａ）（ｂ）に示すように大ヨーヨー４１は図示しない昇降機構によって上昇位置と下降位置との間を昇降するように構成されている。二本のフレキシブルケーブル６０は、大ヨーヨー４１に一端を固定される一方で、ガイドローラ７５、ガイド突起７６に沿って配線経路Ａ内を下方へ向けて配線され、更にガイドプーリ７９によって上向きに反転して配線経路Ａ内を上向きに戻り、プリント基板５０の上部に設けた二個の固定側コネクタ５１に対して各可動側コネクタ６１を夫々接続される。
固定側コネクタ５１に対して可動側コネクタ６１を接続するためには、上向きに延びてきているフレキシブルケーブルの先端寄り部位を横方向へ屈曲させて配線経路Ａから離脱させる必要がある。
従来はこの屈曲した部位（屈曲部６０ａ）の近傍を接着テープによって配線経路適所、具体的には壁状のガイド突条７１に接着することによって、フレキシブルケーブルの屈曲部６０ａの近傍がばたついたり、大ヨーヨーの昇降に伴うストレスがコネクタ接続部に加わることを防止していた。
接着テープによってフレキシブルケーブルを配線経路に固定することによる不具合は上述の通りである。
【００２２】
これに対して本発明に係るフレキシブルケーブルの支持構造では、フレキシブルケーブルの先端寄り部位を配線経路Ａの近傍（側方）に設けたケーブル係止部８１に対して着脱自在に固定するための専用部品としてのケーブル保持部材９０を用いている。
ケーブル保持部材９０は、図６乃至図１０中に示したように樹脂製の薄板状の部材であり、配線経路Ａの側方に相当する固定ベース底面に設けた位置決め穴８２内に嵌合する突起９０ａを底部に有すると共に、側面から突設した張出し部９０ｂには固定穴９０ｃを備えている。固定穴９０ｃを配線経路底部に設けた螺子穴８３と整合させた状態で螺子９１を螺着することによって、ケーブル保持部材９０は配線経路Ａの一側方に起立状態で固定される。
【００２３】
フレキシブルケーブル６０をケーブル係止部８１に固定する際には、ケーブル保持部材９０をケーブル係止部８１に固定する前に、接着テープ（例えば、耐熱剥離防止テープ）９２を用いてフレキシブルケーブルの先端寄り部位をケーブル保持部材９０に固定する。ケーブル保持部材９０には予め接着テープを接着する部位９０ｄがその形状（凹所９０ｄ｀）等の目印によって明示されている。また、先端寄り適所を約９０度屈曲させたフレキシブルケーブルの屈曲部６０ａとケーブル保持部材９０との位置関係も凹所（目印）９０ｅによって明示されている。このため、図６、図７（ｂ）、図８等に示すようにケーブル保持部材９０に対するフレキシブルケーブルの位置決めを一義的に行うことが可能となり、ケーブル保持部材をケーブル係止部８１に固定した場合には、接着テープ９２よりも先端側に位置するフレキシブルケーブル長を常に一定にすることができる。
なお、フレキシブルケーブルを位置決めするための目印としては、ケーブル保持部材の一部の形状を変形させる場合の他、着色、刻印等によっても形成したものであってもよい。
フレキシブルケーブルを固定したケーブル保持部材９０をケーブル係止部８１に固定した後で可動側コネクタ６１を固定側コネクタ５１に対して接続固定する。
【００２４】
ケーブル保持部材９０に対するフレキシブルケーブルの固定位置を、接着テープ９２よりも先端側に位置するフレキシブルケーブル長が最適な値となるように予め設定しておくことにより、ケーブル係止部８１に固定されたケーブル保持部材９０から延びるフレキシブルケーブル先端部のハンドリングが容易となり、可動側コネクタ６１を固定側コネクタに対して着脱する作業性を高めることができる。当然、弾性部材８０からフレキシブルケーブルに加わるストレス、及び大ヨーヨーの昇降に伴ってフレキシブルケーブルに加わるストレスがコネクタ接続部に伝搬してコネクタ接続部を損傷したり、可動側コネクタの脱落が発生することを防止できる。
なお、上記実施形態では、ケーブル保持部材９０を固定ベース３１に固定する手段として螺子を採用しているが、これは一例であり、螺子を使わない固定も可能である。例えば、位置決め穴８２に対して突起９０ａを弾性的に嵌合させるように構成すれば、ケーブル保持部材の着脱時に螺子を使用する手間を省略できる。
【００２５】
何れにしても本発明では、フレキシブルケーブルを接着テープによって直接固定ベース３１の適所（配線経路近傍の適所）に固定するのではなく、配線経路近傍の適所に設けたケーブル係止部８１に対して、フレキシブルケーブルを保持したケーブル保持部材９０を着脱自在に取り付けるように構成したので、フレキシブルケーブルの着脱作業性を向上させることができる。特に、接着テープの貼り付け、剥がし、再貼り付け等に伴う手間をなくし、生産性を高めることが可能となる。
例えば、大ヨーヨーに不具合があることが判明して修理する必要が生じた時には、固定ベース３１の装着部から大ヨーヨー及びフレキシブルケーブルを取り外した上で修理を行うことになるが、この際、螺子止めしてあるケーブル保持部材９０をケーブル係止部８１から取り外すだけで作業が完了する。取り外した大ヨーヨーの修理に際しては、フレキシブルケーブルにケーブル保持部材９０を固定したままで修理が行われる。修理を終了した大ヨーヨーを固定ベース３１に装着する際のフレキシブルケーブルの配線に際しては、ケーブル保持部材９０をケーブル係止部８１に螺子止め固定してから可動側コネクタ６１を固定側コネクタ５１に接続すれば配線が完了する。
【００２６】
このように本発明のフレキシブルケーブルの支持構造では、プリント基板上の固定側コネクタ５１に対して可動盤面部品等から延びるフレキシブルケーブル先端の可動側コネクタ６１を接続する際に、ケーブル配線経路にフレキシブルケーブルを固定する手段として接着テープを用いないようにすることによって、組付け時における配線のやり直しや、不具合のある盤面部品の修復後における再配線の作業性を大幅に高めることができた。即ち、可動盤面部品の組み換え時に接着テープを剥がして、その後に再度貼り付ける工程がなくなるように専用部品としてのケーブル保持部材を用いたので、可動盤面部品の組み付け工程でのミス（作業のやり直しによる生産性の低下）を防止し、組み換えた後もケーブル保持部における同じ品質を保つことが可能となる。
【００２７】
また、ケーブル保持部とフレキシブルケーブルとの接着は、接着テープによって行うのが簡易、確実である。この接着テープは、一旦ケーブル保持部材に接着した場合には、剥離する必要がなく、フレキシブルケーブルと接続された盤面部品等を修理のために取り外す場合であっても、フレキシブルケーブルと共に取り外される。
また、ケーブル保持部材とケーブル係止部に固定する方法は種々考えられるが、螺子止めが簡易且つ確実な方法である。
また、ケーブル保持部材にフレキシブルケーブルを固定しているため、ケーブル保持部材を配線経路近傍の特定位置に固定した場合には、可動側コネクタと固定側コネクタとの距離、位置関係が確定してしまう。このため、ケーブル保持部材に対するフレキシブルケーブルの取付け位置関係を精密に設定する必要がある。本発明では、ケーブル保持部材にフレキシブルケーブルを一義的に位置決めするための目印を設けたので、全ての遊技機についてフレキシブルケーブル先端の引き出し長を一義的に定めることができる。
また、フレキシブルケーブルを接続する盤面部品が可動盤面部品である場合には、可動盤面部品の移動に伴ってフレキシブルケーブルも伸縮、移動する。このため、フレキシブルケーブルにストレスがかかるが、本発明ではケーブル保持部材をケーブル係止部に確実に係止しているため、フレキシブルケーブルを介してコネクタ接続部にストレスがかかることが防止される。
なお、本発明のフレキシブルケーブルの支持構造は、パチンコ遊技機のみならず、フレキシブルケーブルの支持構造一般に適用することができる。
【符号の説明】
【００２８】
１…遊技盤、１ａ…遊技領域、２…ガラス枠、３…皿部、４…発射レバー、５…センター部材、７…開閉片、１０…アウト口、１１…可変入賞装置、１２…ゲート、１３…大入賞口、１４…普通入賞口、１５…風車、１６…普通図柄表示装置、３０…盤面搭載ユニット、３１…固定ベース、３１ａ…係止部、３５…小ヨーヨー、４０…可動盤面ユニット、４１…大ヨーヨー、４２…ＬＥＤ、４３…モータ、４４…電源、４５…制御手段、５０…プリント基板、５１…固定側コネクタ、６０…フレキシブルケーブル、６０ａ…屈曲部、６１…可動側コネクタ、７０…ケーブルガイド機構、７１…ガイド突条、７５…ガイドローラ、７６…ガイド突起、７７…ガイド長穴、７８…スライド部材、７９…ガイドプーリ、８０…弾性部材、８１…ケーブル係止部、８２…穴、８３…螺子穴、９０…ケーブル保持部材、９０ａ…突起、９０ｂ…張出し部、９０ｃ…固定穴、９０ｄ…接着部位、９０ｄ’…凹所、９１…螺子、９２…接着テープ
【図１】
2011243645.tif 000003
【図２】
2011243645.tif 000004
【図３】
2011243645.tif 000005
【図４】
2011243645.tif 000006
【図５】
2011243645.tif 000007
【図６】
2011243645.tif 000008
【図７】
2011243645.tif 000009
【図８】
2011243645.tif 000010
【図９】
2011243645.tif 000011
【図１０】
2011243645.tif 000012